(57)【要約】【課題】収納箱に収納された複数の瓶体の運搬中の破損を防止する箱詰め瓶体用天部側緩衝部材及び瓶体収納箱を提供する。【解決手段】収納箱１の上部開口部と略同形に形成された合成樹脂製の基板部３に、夫々の前記瓶体２の上端部に夫々被さる複数のキャップ部４と、各キャップ部４間に架設されるリブ５とが上側に向けて突出状態に一体成形されて成り、各キャップ部４は、瓶体２の上端部の形状と略同形に形成され該瓶体２の上端部に被嵌する被嵌部６と、この被嵌部６の下部に連設し瓶体２の上端部を被嵌部６へと誘い込む円錐台形状若しくは逆椀形状の誘い込み部７とから成る構成とされており、リブ５は、直立板状に形成されて指で摘み持つ摘持部となるように構成されている箱詰め瓶体用天部側緩衝部材。【選択図】図１
2018024439.tif 000002
【特許請求の範囲】
【請求項１】
収納箱の天部側に配され、前記収納箱内に収納された複数の瓶体を位置決めするとともに前記瓶体の揺れ及び移動を抑制して、運搬中における前記瓶体同士の接触を防止する箱詰め瓶体用天部側緩衝部材であって、前記収納箱の上部開口部と略同形に形成された合成樹脂製の基板部に、夫々の前記瓶体の上端部に夫々被さる複数のキャップ部と、各前記キャップ部間に架設されるリブとが上側に向けて突出状態に一体成形されて成り、各前記キャップ部は、前記瓶体の上端部の形状と略同形に形成され該瓶体の上端部に被嵌する被嵌部と、この被嵌部の下部に連設し前記瓶体の上端部を前記被嵌部へと誘い込む円錐台形状若しくは逆椀形状の誘い込み部とから成る構成とされており、前記リブは、直立板状に形成されて指で摘み持つ摘持部となるように構成されていることを特徴とする箱詰め瓶体用天部側緩衝部材。
【請求項２】
前記基板部上に、前記キャップ部が縦方向及び横方向の夫々二列以上形成するように並設されていることを特徴とする請求項１記載の箱詰め瓶体用天部側緩衝部材。
【請求項３】
前記基板部上に、前記キャップ部が１ダース分並設されていることを特徴する請求項２記載の箱詰め瓶体用天部側緩衝部材。
【請求項４】
前記リブは、前記収納箱の上部開口部が蓋部で閉塞されている状態において、前記蓋部に上方から外力が加えられた際、前記蓋部を裏面側から支持して該蓋部が前記外力によって押し潰されることを可及的に防止する蓋部押潰れ防止支持部が設けられていることを特徴とする請求項１〜３のいずれか１項に記載の箱詰め瓶体用天部側緩衝部材。
【請求項５】
複数の瓶体を上部開口部から取り出し自在にして上端部を上にして整列状態に収納する瓶体収納箱であって、収納箱１内に前記請求項１〜４のいずれか１項に記載の箱詰め瓶体用天部側緩衝部材が備えられており、この箱詰め瓶体用天部側緩衝部材を前記収納箱の上部開口部に嵌め込むようにして前記収納箱内に収納された複数の瓶体の上方から被せることで、各前記瓶体の上端部に前記誘い込み部により前記被嵌部が被嵌して、各前記瓶体を前記収納箱内で整列状態に位置決めして、運搬中の前記瓶体の揺れ及び移動が抑制されるように構成されていることを特徴とする瓶体収納箱。
【請求項６】
前記収納箱内に、該収納箱の天部側に配される前記箱詰め瓶体用天部側緩衝部材とともに、前記収納箱の底部側に配される箱詰め瓶体用底部側緩衝部材が備えられていることを特徴とする請求項５記載の瓶体収納箱。
【請求項７】
前記収納箱内に、該収納箱の天部側に配される前記箱詰め瓶体用天部側緩衝部材とともに、前記収納箱内を仕切る仕切り部材が備えられていることを特徴とする請求項５記載の瓶体収納箱。
【発明の詳細な説明】
【技術分野】
【０００１】
本発明は、収納箱内に収納された複数の瓶体の運搬中における破損を防止する箱詰め瓶体用天部側緩衝部材及びこの箱詰め瓶体用天部側緩衝部材を備える瓶体収納箱に関するものである。
【背景技術】
【０００２】
衝撃に弱いガラス製の瓶体を複数本ダンボール箱等の収納箱に収納して運搬する場合、積み込みや荷下ろし時の収納箱を荷台や地面に載置する際の衝撃や、運搬中の振動等による瓶体の揺れや移動によって瓶体同士が接触することで生じる衝撃等により、収納箱内に収納された瓶体が破損してしまう虞があることから、その対応として、例えば、特開２００４−２１７２４９号（以下、従来例という。）に示されているような、収納箱の底部側からの衝撃を緩和する底部側緩衝部材や瓶体同士の接触を抑制する仕切り部材が用いられている。
【先行技術文献】
【特許文献】
【０００３】
【特許文献１】特開２００４−２１７２４９号公報
【発明の概要】
【発明が解決しようとする課題】
【０００４】
しかしながら、収納箱内においては、瓶体は、底部側よりも上部側の方の揺れ幅が大きく、上述した従来例のような底部側緩衝部材や仕切り部材を用いた対策では、この揺れが大きい瓶体の上部側の揺れを十分に抑制することができず、運搬中に収納箱内で瓶体同士が衝突して破損が生じる懸念が解消されたとは言えず、また、収納箱の天部（蓋部）側の外力に対する衝撃緩和や破損防止対策が殆ど成されていないため、蓋部に外力が加えられると、この蓋部が潰れてしまい商品価値が損なわれてしまう問題もあった。
【０００５】
本発明は、このような従来の問題を解決するもので、収納箱に収納された複数の瓶体の運搬中の揺れを可及的に抑制して瓶体同士の接触による破損を防止するとともに、収納箱内からこの収納箱の蓋部を支持し得るようにして、収納箱の天部側からの外力による収納箱の蓋部の破損（押し潰れ）を可及的に抑制する画期的な箱詰め瓶体用天部側緩衝部材及びこの箱詰め瓶体用天部側緩衝部材を備える瓶体収納箱を提供することを目的とする。
【課題を解決するための手段】
【０００６】
添付図面を参照して本発明の要旨を説明する。
【０００７】
収納箱１の天部側に配され、前記収納箱１内に収納された複数の瓶体２を位置決めするとともに前記瓶体２の揺れ及び移動を抑制して、運搬中における前記瓶体２同士の接触を防止する箱詰め瓶体用天部側緩衝部材であって、前記収納箱１の上部開口部と略同形に形成された合成樹脂製の基板部３に、夫々の前記瓶体２の上端部に夫々被さる複数のキャップ部４と、各前記キャップ部４間に架設されるリブ５とが上側に向けて突出状態に一体成形されて成り、各前記キャップ部４は、前記瓶体２の上端部の形状と略同形に形成され該瓶体２の上端部に被嵌する被嵌部６と、この被嵌部６の下部に連設し前記瓶体２の上端部を前記被嵌部６へと誘い込む円錐台形状若しくは逆椀形状の誘い込み部７とから成る構成とされており、前記リブ５は、直立板状に形成されて指で摘み持つ摘持部となるように構成されていることを特徴とする箱詰め瓶体用天部側緩衝部材に係るものである。
【０００８】
また、前記基板部３上に、前記キャップ部４が縦方向及び横方向の夫々二列以上形成するように並設されていることを特徴とする請求項１記載の箱詰め瓶体用天部側緩衝部材に係るものである。
【０００９】
また、前記基板部３上に、前記キャップ部４が１ダース分並設されていることを特徴する請求項２記載の箱詰め瓶体用天部側緩衝部材に係るものである。
【００１０】
また、前記リブ５は、前記収納箱１の上部開口部が蓋部で閉塞されている状態において、前記蓋部に上方から外力が加えられた際、前記蓋部を裏面側から支持して該蓋部が前記外力によって押し潰されることを可及的に防止する蓋部押潰れ防止支持部８が設けられていることを特徴とする請求項１〜３のいずれか１項に記載の箱詰め瓶体用天部側緩衝部材に係るものである。
【００１１】
また、複数の瓶体２を上部開口部から取り出し自在にして上端部を上にして整列状態に収納する瓶体収納箱であって、収納箱１内に前記請求項１〜４のいずれか１項に記載の箱詰め瓶体用天部側緩衝部材９が備えられており、この箱詰め瓶体用天部側緩衝部材９を前記収納箱１の上部開口部に嵌め込むようにして前記収納箱１内に収納された複数の瓶体２の上方から被せることで、各前記瓶体２の上端部に前記誘い込み部７により前記被嵌部６が被嵌して、各前記瓶体２を前記収納箱１内で整列状態に位置決めして、運搬中の前記瓶体２の揺れ及び移動が抑制されるように構成されていることを特徴とする瓶体収納箱に係るものである。
【００１２】
また、前記収納箱１内に、該収納箱１の天部側に配される前記箱詰め瓶体用天部側緩衝部材９とともに、前記収納箱１の底部側に配される箱詰め瓶体用底部側緩衝部材10が備えられていることを特徴とする請求項５記載の瓶体収納箱に係るものである。
【００１３】
また、前記収納箱１内に、該収納箱１の天部側に配される前記箱詰め瓶体用天部側緩衝部材９とともに、前記収納箱１内を仕切る仕切り部材11が備えられていることを特徴とする請求項５記載の瓶体収納箱に係るものである。
【発明の効果】
【００１４】
請求項１記載の発明においては、収納箱に収納された複数の瓶体の運搬中の揺れを可及的に抑制して瓶体同士の接触を防止し、運搬中における瓶体同士の接触による瓶体の破損を可及的に抑制する効果を発揮する画期的な箱詰め瓶体用天部側緩衝部材となる。
【００１５】
しかも、キャップ部間に架設されたリブが摘持部となるから、収納箱への着脱作業も容易となる極めて実用性に優れた箱詰め瓶体用天部側緩衝部材となる。
【００１６】
また、請求項５記載の発明においては、収納した複数の瓶体同士が運搬中に収納箱内で接触して破損する虞が可及的に減少する実用性に優れた瓶体収納箱となる。
【図面の簡単な説明】
【００１７】
【図１】実施例１を示す斜視図である。
【図２】実施例１の要部を示す説明側断面図である。
【図３】実施例１の使用状態を示す説明図である。
【図４】実施例１の使用状態を示す斜視図である。
【図５】実施例２の箱詰め瓶体用底部側緩衝部材を示す斜視図である。
【図６】実施例２の各構成部材を示す説明斜視図である。
【図７】実施例２の別例の各構成部材を示す説明斜視図である。
【図８】実施例２の別例の使用状態を示す説明斜視図である。
【発明を実施するための形態】
【００１８】
好適と考える本発明の実施形態を、図面に基づいて本発明の作用を示して簡単に説明する。
【００１９】
キャップ部４間に設けられているリブ５を指先で摘み持って、複数の瓶体２が立設状態で並置されて収納されている収納箱１の上部開口部から、基板部３を上部開口部に嵌め込むように位置合わせして、本発明の箱詰め瓶体用天部側緩衝部材を収納箱１に収納されている瓶体２の上端部に被せると、各瓶体２の上端部に各キャップ部４が被さるとともに、このキャップ部４を構成する誘い込み部７により、各瓶体２の上端部がキャップ部４の上部に設けられた被嵌部６と嵌合する。
【００２０】
この各瓶体２が被嵌部６に嵌合した状態、言い換えると、瓶体２の上方から被せたキャップ部４の被嵌部６が瓶体２の上端部に被嵌した状態では、基板部３が収納箱１の上部開口部に嵌入し収納箱１の各壁面部によりほぼ移動不能に位置決めされた状態となり、この基板部３が収納箱１内で位置決めされることで、基板部３に設けられた各キャップ部４も収納箱１に対して位置決めされ、この位置決めされたキャップ部４（被嵌部６）が収納箱１内に立設状態で並置されて収納されている各瓶体２に被嵌することで、各瓶体２が収納箱１内の所定位置でほぼ移動不能に位置決めされ、これにより、収納箱１に収納された複数の瓶体２の上部側の揺れが抑制され、この瓶体２の上部側の揺れが抑制されることで、運搬中の瓶体２全体の揺れや移動（位置ずれ）が可及的に抑制されて、収納箱１内で瓶体２同士が互いに接触することが無くなり、衝突、衝撃による破損が可及的に抑制されることとなる。
【実施例１】
【００２１】
本発明の具体的な実施例１について図１〜図４に基づいて説明する。
【００２２】
本実施例は、収納箱１の天部側に配され、収納箱１内に収納された複数の瓶体２の上端部に被嵌することでこれらの瓶体２を位置決めするとともに、各瓶体２の運搬中の揺れ及び移動を抑制して、運搬中における瓶体２同士の接触を防止するように構成された箱詰め瓶体用天部側緩衝部材である。
【００２３】
また、本実施例は、上部開口部を開閉自在に閉塞する蓋部が、上部開口部の対向する夫々の長辺側開口縁部に設けられた二枚の外側フラップ部１Ａと、対向する夫々の短辺側開口縁部に設けられた二枚の内側フラップ部１Ｂとで構成されている収納箱１に適した構成にされたものである。以下、本実施例について詳述する。
【００２４】
本実施例は、収納箱１の上部開口部と略同形に形成された合成樹脂製の基板部３に、収納箱１に収納された夫々の瓶体２の上端部に夫々被さる複数のキャップ部４と、各キャップ部４間に架設される複数のリブ５とが上側に向けて突出状態に一体成形されて成る構成とされている。
【００２５】
具体的には、本実施例は、平面視横長方形状に形成されたシート状の基板部３に、１ダース分、即ち１２本の瓶体２を位置決めする１２個のキャップ部４が設けられた構成とされ、本実施例では、図示するように、基板部３上にキャップ部４が縦方向（短辺方向）四列、横方向（長辺方向）三列に整列配置され、更にこの整列配置された１２個のキャップ部４の前後方向（縦方向）及び左右方向（横方向）に隣接するキャップ部４同士がリブ５で連結されている構成とされている。
【００２６】
また、本実施例は、無着色（半透明タイプ）のポリプロピレン製とされ、瓶体２に被せた状態でも収納箱１内の瓶体２が透視でき、本実施例を被せたまま瓶体２の本数を確認できるように構成されている。
【００２７】
また、本実施例の各キャップ部４は、ピラミッド状に形成されており、具体的には、瓶体２の上端部の形状と略同形に形成され瓶体２の上端部に被嵌する円筒状の被嵌部６と、この被嵌部６の下部に連設し瓶体２の上端部を被嵌部６へと誘い込む円錐台形状或いは逆お椀形状の誘い込み部７とから成る構成とされている。
【００２８】
即ち、本実施例は、収納箱１内に収納された瓶体２が、縦横夫々の方向にある程度整列している状態であれば、言い換えると、キャップ部４の誘い込み部７の開口部が係合可能な範囲内での位置ずれ状態で並置収納されていても、本実施例を瓶体２の上端部に被せこむことで、キャップ部４の誘い込み部７によって瓶体２の上端部が被嵌部６に誘い込まれて、各瓶体２が収納箱１内で縦横夫々の方向に乱れなくほぼ真っ直ぐに規則正しく整列状態に位置決めされるように構成されている。
【００２９】
また、この整列配置されたキャップ部４間に設けられたリブ５は、直立板状に形成されて指で摘み持つ摘持部となるように構成されている。
【００３０】
即ち、本実施例は、基板部３が収納箱１の上部開口部と略同形なため、基板部３と収納箱１の周壁部との間に指を入れる隙間が形成されず、基板部３の周縁を持って着脱作業することが難しいが、このリブ５が摘持部となることで、収納箱１に収納されている瓶体２に対して容易に着脱することができるように構成されている。
【００３１】
また、本実施例のリブ５は、前述した摘持部としての役割の他に、蓋部に上方から外力が加えられた際、この蓋部を裏面側（収納箱１の内側）から支持して該蓋部が外力によって押し潰されることを可及的に防止する支持部の役割を発揮するように構成されている。
【００３２】
具体的には、リブ５の上端部に、収納箱１の上部開口部が蓋部で閉塞されている状態において、先端部が蓋部の裏面に当接若しくは近接状態となる高さに設定された蓋部押潰れ防止支持部８が一体形成されており、この蓋部押潰れ防止支持部８は、蓋部に外力が加えられた際、蓋部の裏面に当接して収納箱１の内側から蓋部を支持し、蓋部が内方へ押し潰されることを防止するように構成されている。
【００３３】
また、この蓋部押潰れ防止支持部８に関し、本実施例は、基板部３の長辺部方向中央部に位置して、短辺部方向に並設されているリブ５（本実施例では３か所）に設けられた蓋部押潰れ防止支持部８（以下、蓋中央部押潰れ防止支持部８Ａという。）の高さが、他のリブ５に設けられた蓋部押潰れ防止用支持部８の高さよりも若干高め（具体的には、蓋部を構成するフラップ一枚分の厚さに相当する高さ分だけ高め）に設定されている。
【００３４】
即ち、本実施例は、前述したように収納箱１の上部開口部を開閉自在に閉塞する蓋部が、上部開口部の対向する夫々の長辺側開口縁部に設けられた二枚の外側フラップ部１Ａと、対向する夫々の短辺側開口縁部に設けられた二枚の内側フラップ部１Ｂとで構成されている収納箱１に適する構成とされており、そのため、内側フラップ部１Ｂを閉じ状態にした場合、図示するように、対向する内側フラップ部１Ｂの先端部間に隙間が生じて、蓋部裏面に段差部が生じる構造であるため、この段差部が生じる基板部３の長辺部方向中央部に位置する蓋中央部押潰れ防止支持部８Ａの高さが、この段差部の分（即ち、内側フラップ部１Ｂの厚さ分）高く設定されて、蓋中央部押潰れ防止支持部８Ａの先端部が外側フラップ部１Ａの裏面に当接する構成とされることで、僅かな押し潰れの発生をも防止するように構成されている。尚、本実施例では、キャップ部４の上端部位置と蓋部押潰れ防止支持部８の先端部位置とをほぼ同一高さに設定して、このキャップ部４とリブ５（蓋部押潰れ防止支持部８）とで蓋部を支持する構成とされているが、リブ５（蓋部押潰れ防止支持部８）だけで支持する構成としても良い。
【００３５】
また、この蓋部押潰れ防止支持部８（蓋中央部押潰れ防止支持部８Ａ）が蓋部に当接する構成とされることで、蓋部が押し潰されることを抑制するとともに、瓶体２の上端部に被さったキャップ部４が運搬中の振動などで浮き上って瓶体２から離脱することを防止することもできる。
【００３６】
また、本実施例の基板部３は、前述したキャップ部４間に架設されるリブ５の他に、この基板部３のキャップ部４の周囲の平地部より膨出する段差状リブ12と、基板部３のフランジ部を補強するためのフランジ補強リブ13が設けられており、具体的には、段差状リブ12は、リブ５の表裏夫々の板面下部からこのリブ５の板面と直交する方向に延出状態に設けられており、また、フランジ補強リブ13は、キャップ部４の下部、即ち誘い込み部７の下部から基板部３の端縁方向に延出状態に設けられている。
【００３７】
本実施例は、この段差状リブ12及びフランジ補強リブ13によって基板部３の強度が向上して外力に対する耐変形性が高められているので、収納箱１に外力が加わっても、収納箱１を内側から支え、収納箱１の潰れや変形を抑制することができる。
【００３８】
このように、本実施例は、キャップ部４間に設けられているリブ５を指先で摘み持って、複数の瓶体２が立設状態で並置されて収納されている収納箱１の上部開口部から、基板部３を上部開口部に嵌め込むように位置合わせして、収納箱１に収納されている瓶体２の上端部に被せるだけで、収納箱１内の各瓶体２がきれいに整列した状態でほぼ移動不能に位置決めされ、これにより、瓶体２の上部側の揺れが抑制され、運搬中の瓶体２全体の揺れや移動（位置ずれ）が可及的に抑制されて、収納箱１内で瓶体２同士が互いに接触することが無くなり、衝突、衝撃による破損が可及的に抑制され、しかも、収納箱１の外力による押潰れや変形を可及的に防止し、収納箱１の体裁も保持できる実用性に優れた箱詰め瓶体用天部側緩衝部材となる。
【実施例２】
【００３９】
本発明の具体的な実施例１について図５〜図８に基づいて説明する。
【００４０】
本実施例は、複数の瓶体２を上部開口部から取り出し自在にして上端部を上にして整列状態に収納する瓶体収納箱であって、収納箱１内に実施例１の箱詰め瓶体用天部側緩衝部材９が備えられており、この箱詰め瓶体用天部側緩衝部材９を収納箱１の上部開口部に嵌め込むようにして収納箱１内に収納された複数の瓶体２の上方から被せることで、各瓶体２の上端部に誘い込み部７により被嵌部６が被嵌して、各瓶体２を収納箱１内で整列状態に位置決めして、運搬中の前記瓶体２の揺れ及び移動が抑制されるように構成されているものである。
【００４１】
具体的には、本実施例は、収納箱１内に、この収納箱１の天部側に配される箱詰め瓶体用天部側緩衝部材９とともに、収納箱１の底部側に配される箱詰め瓶体用底部側緩衝部材10が備えられている。
【００４２】
本実施例は、収納箱１の構成及び箱詰め瓶体用天部側緩衝部材９の構成は、実施例１と同構成である。
【００４３】
また、箱詰め瓶体用底部側緩衝部材10は、図示するように、収納箱１の上部開口部と略同形に形成された合成樹脂製の基板部14に、収納箱１に収納される瓶体２の底部が載置される複数の瓶底受部15が一体成形されて成る構成とされている。
【００４４】
具体的には、本実施例の箱詰め瓶体用底部側緩衝部材10は、箱詰め瓶体用天部側緩衝部材９と同様、平面視横長方形状に形成されたシート状の基板部14に、１ダース分、即ち１２本の瓶体２を位置決めする１２個の瓶底受部15が設けられた構成とされている。
【００４５】
この瓶底受部15は、瓶体２の底部側周面部を部分的に包囲する周壁部16が設けられており、この周壁部16は、上部側に向かって外方に傾斜状態に設けられ、上方から挿入配設される瓶体２を底部に誘い込む誘い込み部として作用するように構成されている。
【００４６】
また、本実施例の瓶体収納箱に瓶体２を収納する際は、先ず、収納箱１の底部に箱詰め瓶体用底部側緩衝部材10を配し、この箱詰め瓶体用底部側緩衝部材10の各瓶底受部15に瓶体２を挿入配設する。これにより、瓶体２は、この箱詰め瓶体用底部側緩衝部材10の瓶底受部15に位置決められて、収納箱１内でほぼ整列状態に並置収納される。
【００４７】
次に、この整列状態の瓶体２に対して上方から箱詰め瓶体用天部側緩衝部材９を被せ込み、箱詰め瓶体用天部側緩衝部材９の各キャップ部４を瓶体２に上端部に被嵌させる。これにより、瓶体２の上端部も位置決めされ、瓶体２は、収納箱１内で移動不能な状態となる。
【００４８】
このように、本実施例は、箱詰め瓶体用天部側緩衝部材９及び箱詰め瓶体用底部側緩衝部材10で瓶体２の上端部及び底部を移動不能に位置決めした状態で瓶体２を収納箱１に収納するから、収納した複数の瓶体２同士が運搬中に収納箱１内で接触して破損する虞が可及的に減少する実用性に優れた瓶体収納箱となる。
【００４９】
なお、箱詰め瓶体用底部側緩衝部材10に替えて、図７，８に示すように、仕切り部材11を用いた構成としても良い。
【００５０】
尚、本発明は、実施例１，２に限られるものではなく、各構成要件の具体的構成は適宜設計し得るものである。
【符号の説明】
【００５１】
１  収納箱
１Ａ  外側フラップ部
１Ｂ  内側フラップ部
２  瓶体
３  基板部
４  キャップ部
５  リブ
６  被嵌部
７  誘い込み部
８  蓋部押潰れ防止支持部
９  箱詰め瓶体用天部側緩衝部材
10  箱詰め瓶体用底部側緩衝部材
11  仕切り部材
【図１】
2018024439.tif 000003
【図２】
2018024439.tif 000004
【図３】
2018024439.tif 000005
【図４】
2018024439.tif 000006
【図５】
2018024439.tif 000007
【図６】
2018024439.tif 000008
【図７】
2018024439.tif 000009
【図８】
2018024439.tif 000010
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
収納箱の天部側に配され、前記収納箱内に収納された複数の瓶体を位置決めするとともに前記瓶体の揺れ及び移動を抑制して、運搬中における前記瓶体同士の接触を防止する箱詰め瓶体用天部側緩衝部材であって、前記収納箱の上部開口部と略同形に形成された合成樹脂製の基板部に、夫々の前記瓶体の上端部に夫々被さる複数のキャップ部と、各前記キャップ部間に架設されるリブとが上側に向けて突出状態に一体成形されて成り、各前記キャップ部は、前記瓶体の上端部の形状と略同形に形成され該瓶体の上端部に被嵌する被嵌部と、この被嵌部の下部に連設し前記瓶体の上端部を前記被嵌部へと誘い込む円錐台形状若しくは逆椀形状の誘い込み部とから成る構成とされており、前記キャップ部間に該キャップ部と一体形成されている前記リブは、直立板状に形成されるとともに、リブ上端部の長手方向中央部に上方に高く突出し前記収納箱の上部開口部が蓋部で閉塞されている状態においてこの蓋部の裏面に当接し得る形状に形成される蓋部押潰れ防止支持部が設けられていて、この蓋部押潰れ防止支持部が指で摘み持つ摘持部となるとともに、前記収納箱の上部開口部が蓋部で閉塞されている状態において、この蓋部押潰れ防止支持部の上辺部が前記蓋部を裏面側から支持するように構成されていることを特徴とする箱詰め瓶体用天部側緩衝部材。
【請求項２】
前記リブには、前記収納箱の上部開口部が蓋部で閉塞されている状態において前記蓋部の内側フラップ部の裏面に当接し得る前記蓋部押潰れ防止支持部が設けられているものと、前記収納箱の上部開口部が蓋部で閉塞されている状態において前記蓋部の外側フラップ部の裏面に当接し得る蓋中央部押潰れ防止支持部が設けられているものがあり、前記蓋中央部押潰れ防止支持部は、前記蓋部押潰れ防止支持部よりも上方に高く突出している形状に形成されていることを特徴とする請求項１記載の箱詰め瓶体用天部側緩衝部材。
【請求項３】
前記基板部上に、前記キャップ部が縦方向及び横方向の夫々二列以上形成するように並設されていることを特徴とする請求項１,２のいずれか１項に記載の箱詰め瓶体用天部側緩衝部材。
【請求項４】
前記基板部上に、前記キャップ部が１ダース分並設されていることを特徴する請求項３記載の箱詰め瓶体用天部側緩衝部材。
【請求項５】
複数の瓶体を上部開口部から取り出し自在にして上端部を上にして整列状態に収納する瓶体収納箱であって、収納箱内に前記請求項１〜４のいずれか１項に記載の箱詰め瓶体用天部側緩衝部材が備えられており、この箱詰め瓶体用天部側緩衝部材を前記収納箱の上部開口部に嵌め込むようにして前記収納箱内に収納された複数の瓶体の上方から被せることで、各前記瓶体の上端部に前記誘い込み部により前記被嵌部が被嵌して、各前記瓶体を前記収納箱内で整列状態に位置決めして、運搬中の前記瓶体の揺れ及び移動が抑制されるように構成されていることを特徴とする瓶体収納箱。
【請求項６】
前記収納箱内に、該収納箱の天部側に配される前記箱詰め瓶体用天部側緩衝部材とともに、前記収納箱の底部側に配される箱詰め瓶体用底部側緩衝部材が備えられていることを特徴とする請求項５記載の瓶体収納箱。
【請求項７】
前記収納箱内に、該収納箱の天部側に配される前記箱詰め瓶体用天部側緩衝部材とともに、前記収納箱内を仕切る仕切り部材が備えられていることを特徴とする請求項５記載の瓶体収納箱。
【手続補正２】
【補正対象書類名】明細書
【補正対象項目名】全文
【補正方法】変更
【補正の内容】
【発明の詳細な説明】
【技術分野】
【０００１】
本発明は、収納箱内に収納された複数の瓶体の運搬中における破損を防止する箱詰め瓶体用天部側緩衝部材及びこの箱詰め瓶体用天部側緩衝部材を備える瓶体収納箱に関するものである。
【背景技術】
【０００２】
衝撃に弱いガラス製の瓶体を複数本ダンボール箱等の収納箱に収納して運搬する場合、積み込みや荷下ろし時の収納箱を荷台や地面に載置する際の衝撃や、運搬中の振動等による瓶体の揺れや移動によって瓶体同士が接触することで生じる衝撃等により、収納箱内に収納された瓶体が破損してしまう虞があることから、その対応として、例えば、特開２００４−２１７２４９号（以下、従来例という。）に示されているような、収納箱の底部側からの衝撃を緩和する底部側緩衝部材や瓶体同士の接触を抑制する仕切り部材が用いられている。
【先行技術文献】
【特許文献】
【０００３】
【特許文献１】特開２００４−２１７２４９号公報
【発明の概要】
【発明が解決しようとする課題】
【０００４】
しかしながら、収納箱内においては、瓶体は、底部側よりも上部側の方の揺れ幅が大きく、上述した従来例のような底部側緩衝部材や仕切り部材を用いた対策では、この揺れが大きい瓶体の上部側の揺れを十分に抑制することができず、運搬中に収納箱内で瓶体同士が衝突して破損が生じる懸念が解消されたとは言えず、また、収納箱の天部（蓋部）側の外力に対する衝撃緩和や破損防止対策が殆ど成されていないため、蓋部に外力が加えられると、この蓋部が潰れてしまい商品価値が損なわれてしまう問題もあった。
【０００５】
本発明は、このような従来の問題を解決するもので、収納箱に収納された複数の瓶体の運搬中の揺れを可及的に抑制して瓶体同士の接触による破損を防止するとともに、収納箱内からこの収納箱の蓋部を支持し得るようにして、収納箱の天部側からの外力による収納箱の蓋部の破損（押し潰れ）を可及的に抑制する画期的な箱詰め瓶体用天部側緩衝部材及びこの箱詰め瓶体用天部側緩衝部材を備える瓶体収納箱を提供することを目的とする。
【課題を解決するための手段】
【０００６】
添付図面を参照して本発明の要旨を説明する。
【０００７】
収納箱１の天部側に配され、前記収納箱１内に収納された複数の瓶体２を位置決めするとともに前記瓶体２の揺れ及び移動を抑制して、運搬中における前記瓶体２同士の接触を防止する箱詰め瓶体用天部側緩衝部材であって、前記収納箱１の上部開口部と略同形に形成された合成樹脂製の基板部３に、夫々の前記瓶体２の上端部に夫々被さる複数のキャップ部４と、各前記キャップ部４間に架設されるリブ５とが上側に向けて突出状態に一体成形されて成り、各前記キャップ部４は、前記瓶体２の上端部の形状と略同形に形成され該瓶体２の上端部に被嵌する被嵌部６と、この被嵌部６の下部に連設し前記瓶体２の上端部を前記被嵌部６へと誘い込む円錐台形状若しくは逆椀形状の誘い込み部７とから成る構成とされており、前記キャップ部４間に該キャップ部４と一体形成されている前記リブ５は、直立板状に形成されるとともに、リブ上端部の長手方向中央部に上方に高く突出し前記収納箱１の上部開口部が蓋部で閉塞されている状態においてこの蓋部の裏面に当接し得る形状に形成される蓋部押潰れ防止支持部８が設けられていて、この蓋部押潰れ防止支持部８が指で摘み持つ摘持部となるとともに、前記収納箱１の上部開口部が蓋部で閉塞されている状態において、この蓋部押潰れ防止支持部８の上辺部が前記蓋部を裏面側から支持するように構成されていることを特徴とする箱詰め瓶体用天部側緩衝部材に係るものである。
【０００８】
また、前記リブ５には、前記収納箱１の上部開口部が蓋部で閉塞されている状態において前記蓋部の内側フラップ部１Ｂの裏面に当接し得る前記蓋部押潰れ防止支持部８が設けられているものと、前記収納箱１の上部開口部が蓋部で閉塞されている状態において前記蓋部の外側フラップ部１Ａの裏面に当接し得る蓋中央部押潰れ防止支持部８Ａが設けられているものがあり、前記蓋中央部押潰れ防止支持部８Ａは、前記蓋部押潰れ防止支持部８よりも上方に高く突出している形状に形成されていることを特徴とする請求項１記載の箱詰め瓶体用天部側緩衝部材に係るものである。
【０００９】
また、前記基板部３上に、前記キャップ部４が縦方向及び横方向の夫々二列以上形成するように並設されていることを特徴とする請求項１,２のいずれか１項に記載の箱詰め瓶体用天部側緩衝部材に係るものである。
【００１０】
また、前記基板部３上に、前記キャップ部４が１ダース分並設されていることを特徴する請求項３記載の箱詰め瓶体用天部側緩衝部材に係るものである。
【００１１】
また、複数の瓶体２を上部開口部から取り出し自在にして上端部を上にして整列状態に収納する瓶体収納箱であって、収納箱１内に前記請求項１〜４のいずれか１項に記載の箱詰め瓶体用天部側緩衝部材９が備えられており、この箱詰め瓶体用天部側緩衝部材９を前記収納箱１の上部開口部に嵌め込むようにして前記収納箱１内に収納された複数の瓶体２の上方から被せることで、各前記瓶体２の上端部に前記誘い込み部７により前記被嵌部６が被嵌して、各前記瓶体２を前記収納箱１内で整列状態に位置決めして、運搬中の前記瓶体２の揺れ及び移動が抑制されるように構成されていることを特徴とする瓶体収納箱に係るものである。
【００１２】
また、前記収納箱１内に、該収納箱１の天部側に配される前記箱詰め瓶体用天部側緩衝部材９とともに、前記収納箱１の底部側に配される箱詰め瓶体用底部側緩衝部材10が備えられていることを特徴とする請求項５記載の瓶体収納箱に係るものである。
【００１３】
また、前記収納箱１内に、該収納箱１の天部側に配される前記箱詰め瓶体用天部側緩衝部材９とともに、前記収納箱１内を仕切る仕切り部材11が備えられていることを特徴とする請求項５記載の瓶体収納箱に係るものである。
【発明の効果】
【００１４】
請求項１記載の発明においては、収納箱に収納された複数の瓶体の運搬中の揺れを可及的に抑制して瓶体同士の接触を防止し、運搬中における瓶体同士の接触による瓶体の破損を可及的に抑制する効果を発揮する画期的な箱詰め瓶体用天部側緩衝部材となる。
【００１５】
しかも、キャップ部間に架設されたリブが摘持部となるから、収納箱への着脱作業も容易となる極めて実用性に優れた箱詰め瓶体用天部側緩衝部材となる。
【００１６】
また、請求項５記載の発明においては、収納した複数の瓶体同士が運搬中に収納箱内で接触して破損する虞が可及的に減少する実用性に優れた瓶体収納箱となる。
【図面の簡単な説明】
【００１７】
【図１】実施例１を示す斜視図である。
【図２】実施例１の要部を示す説明側断面図である。
【図３】実施例１の使用状態を示す説明図である。
【図４】実施例１の使用状態を示す斜視図である。
【図５】実施例２の箱詰め瓶体用底部側緩衝部材を示す斜視図である。
【図６】実施例２の各構成部材を示す説明斜視図である。
【図７】実施例２の別例の各構成部材を示す説明斜視図である。
【図８】実施例２の別例の使用状態を示す説明斜視図である。
【発明を実施するための形態】
【００１８】
好適と考える本発明の実施形態を、図面に基づいて本発明の作用を示して簡単に説明する。
【００１９】
キャップ部４間に設けられているリブ５を指先で摘み持って、複数の瓶体２が立設状態で並置されて収納されている収納箱１の上部開口部から、基板部３を上部開口部に嵌め込むように位置合わせして、本発明の箱詰め瓶体用天部側緩衝部材を収納箱１に収納されている瓶体２の上端部に被せると、各瓶体２の上端部に各キャップ部４が被さるとともに、このキャップ部４を構成する誘い込み部７により、各瓶体２の上端部がキャップ部４の上部に設けられた被嵌部６と嵌合する。
【００２０】
この各瓶体２が被嵌部６に嵌合した状態、言い換えると、瓶体２の上方から被せたキャップ部４の被嵌部６が瓶体２の上端部に被嵌した状態では、基板部３が収納箱１の上部開口部に嵌入し収納箱１の各壁面部によりほぼ移動不能に位置決めされた状態となり、この基板部３が収納箱１内で位置決めされることで、基板部３に設けられた各キャップ部４も収納箱１に対して位置決めされ、この位置決めされたキャップ部４（被嵌部６）が収納箱１内に立設状態で並置されて収納されている各瓶体２に被嵌することで、各瓶体２が収納箱１内の所定位置でほぼ移動不能に位置決めされ、これにより、収納箱１に収納された複数の瓶体２の上部側の揺れが抑制され、この瓶体２の上部側の揺れが抑制されることで、運搬中の瓶体２全体の揺れや移動（位置ずれ）が可及的に抑制されて、収納箱１内で瓶体２同士が互いに接触することが無くなり、衝突、衝撃による破損が可及的に抑制されることとなる。
【実施例１】
【００２１】
本発明の具体的な実施例１について図１〜図４に基づいて説明する。
【００２２】
本実施例は、収納箱１の天部側に配され、収納箱１内に収納された複数の瓶体２の上端部に被嵌することでこれらの瓶体２を位置決めするとともに、各瓶体２の運搬中の揺れ及び移動を抑制して、運搬中における瓶体２同士の接触を防止するように構成された箱詰め瓶体用天部側緩衝部材である。
【００２３】
また、本実施例は、上部開口部を開閉自在に閉塞する蓋部が、上部開口部の対向する夫々の長辺側開口縁部に設けられた二枚の外側フラップ部１Ａと、対向する夫々の短辺側開口縁部に設けられた二枚の内側フラップ部１Ｂとで構成されている収納箱１に適した構成にされたものである。以下、本実施例について詳述する。
【００２４】
本実施例は、収納箱１の上部開口部と略同形に形成された合成樹脂製の基板部３に、収納箱１に収納された夫々の瓶体２の上端部に夫々被さる複数のキャップ部４と、各キャップ部４間に架設される複数のリブ５とが上側に向けて突出状態に一体成形されて成る構成とされている。
【００２５】
具体的には、本実施例は、平面視横長方形状に形成されたシート状の基板部３に、１ダース分、即ち１２本の瓶体２を位置決めする１２個のキャップ部４が設けられた構成とされ、本実施例では、図示するように、基板部３上にキャップ部４が縦方向（短辺方向）四列、横方向（長辺方向）三列に整列配置され、更にこの整列配置された１２個のキャップ部４の前後方向（縦方向）及び左右方向（横方向）に隣接するキャップ部４同士がリブ５で連結されている構成とされている。
【００２６】
また、本実施例は、無着色（半透明タイプ）のポリプロピレン製とされ、瓶体２に被せた状態でも収納箱１内の瓶体２が透視でき、本実施例を被せたまま瓶体２の本数を確認できるように構成されている。
【００２７】
また、本実施例の各キャップ部４は、ピラミッド状に形成されており、具体的には、瓶体２の上端部の形状と略同形に形成され瓶体２の上端部に被嵌する円筒状の被嵌部６と、この被嵌部６の下部に連設し瓶体２の上端部を被嵌部６へと誘い込む円錐台形状或いは逆お椀形状の誘い込み部７とから成る構成とされている。
【００２８】
即ち、本実施例は、収納箱１内に収納された瓶体２が、縦横夫々の方向にある程度整列している状態であれば、言い換えると、キャップ部４の誘い込み部７の開口部が係合可能な範囲内での位置ずれ状態で並置収納されていても、本実施例を瓶体２の上端部に被せこむことで、キャップ部４の誘い込み部７によって瓶体２の上端部が被嵌部６に誘い込まれて、各瓶体２が収納箱１内で縦横夫々の方向に乱れなくほぼ真っ直ぐに規則正しく整列状態に位置決めされるように構成されている。
【００２９】
また、この整列配置されたキャップ部４間に設けられたリブ５は、直立板状に形成されて指で摘み持つ摘持部となるように構成されている。
【００３０】
即ち、本実施例は、基板部３が収納箱１の上部開口部と略同形なため、基板部３と収納箱１の周壁部との間に指を入れる隙間が形成されず、基板部３の周縁を持って着脱作業することが難しいが、このリブ５が摘持部となることで、収納箱１に収納されている瓶体２に対して容易に着脱することができるように構成されている。
【００３１】
また、本実施例のリブ５は、前述した摘持部としての役割の他に、蓋部に上方から外力が加えられた際、この蓋部を裏面側（収納箱１の内側）から支持して該蓋部が外力によって押し潰されることを可及的に防止する支持部の役割を発揮するように構成されている。
【００３２】
具体的には、リブ５の上端部に、収納箱１の上部開口部が蓋部で閉塞されている状態において、先端部が蓋部の裏面に当接若しくは近接状態となる高さに設定された蓋部押潰れ防止支持部８が一体形成されており、この蓋部押潰れ防止支持部８は、蓋部に外力が加えられた際、蓋部の裏面に当接して収納箱１の内側から蓋部を支持し、蓋部が内方へ押し潰されることを防止するように構成されている。
【００３３】
また、この蓋部押潰れ防止支持部８に関し、本実施例は、基板部３の長辺部方向中央部に位置して、短辺部方向に並設されているリブ５（本実施例では３か所）に設けられた蓋部押潰れ防止支持部８（以下、蓋中央部押潰れ防止支持部８Ａという。）の高さが、他のリブ５に設けられた蓋部押潰れ防止用支持部８の高さよりも若干高め（具体的には、蓋部を構成するフラップ一枚分の厚さに相当する高さ分だけ高め）に設定されている。
【００３４】
即ち、本実施例は、前述したように収納箱１の上部開口部を開閉自在に閉塞する蓋部が、上部開口部の対向する夫々の長辺側開口縁部に設けられた二枚の外側フラップ部１Ａと、対向する夫々の短辺側開口縁部に設けられた二枚の内側フラップ部１Ｂとで構成されている収納箱１に適する構成とされており、そのため、内側フラップ部１Ｂを閉じ状態にした場合、図示するように、対向する内側フラップ部１Ｂの先端部間に隙間が生じて、蓋部裏面に段差部が生じる構造であるため、この段差部が生じる基板部３の長辺部方向中央部に位置する蓋中央部押潰れ防止支持部８Ａの高さが、この段差部の分（即ち、内側フラップ部１Ｂの厚さ分）高く設定されて、蓋中央部押潰れ防止支持部８Ａの先端部が外側フラップ部１Ａの裏面に当接する構成とされることで、僅かな押し潰れの発生をも防止するように構成されている。尚、本実施例では、キャップ部４の上端部位置と蓋部押潰れ防止支持部８の先端部位置とをほぼ同一高さに設定して、このキャップ部４とリブ５（蓋部押潰れ防止支持部８）とで蓋部を支持する構成とされているが、リブ５（蓋部押潰れ防止支持部８）だけで支持する構成としても良い。
【００３５】
また、この蓋部押潰れ防止支持部８（蓋中央部押潰れ防止支持部８Ａ）が蓋部に当接する構成とされることで、蓋部が押し潰されることを抑制するとともに、瓶体２の上端部に被さったキャップ部４が運搬中の振動などで浮き上って瓶体２から離脱することを防止することもできる。
【００３６】
また、本実施例の基板部３は、前述したキャップ部４間に架設されるリブ５の他に、この基板部３のキャップ部４の周囲の平地部より膨出する段差状リブ12と、基板部３のフランジ部を補強するためのフランジ補強リブ13が設けられており、具体的には、段差状リブ12は、リブ５の表裏夫々の板面下部からこのリブ５の板面と直交する方向に延出状態に設けられており、また、フランジ補強リブ13は、キャップ部４の下部、即ち誘い込み部７の下部から基板部３の端縁方向に延出状態に設けられている。
【００３７】
本実施例は、この段差状リブ12及びフランジ補強リブ13によって基板部３の強度が向上して外力に対する耐変形性が高められているので、収納箱１に外力が加わっても、収納箱１を内側から支え、収納箱１の潰れや変形を抑制することができる。
【００３８】
このように、本実施例は、キャップ部４間に設けられているリブ５を指先で摘み持って、複数の瓶体２が立設状態で並置されて収納されている収納箱１の上部開口部から、基板部３を上部開口部に嵌め込むように位置合わせして、収納箱１に収納されている瓶体２の上端部に被せるだけで、収納箱１内の各瓶体２がきれいに整列した状態でほぼ移動不能に位置決めされ、これにより、瓶体２の上部側の揺れが抑制され、運搬中の瓶体２全体の揺れや移動（位置ずれ）が可及的に抑制されて、収納箱１内で瓶体２同士が互いに接触することが無くなり、衝突、衝撃による破損が可及的に抑制され、しかも、収納箱１の外力による押潰れや変形を可及的に防止し、収納箱１の体裁も保持できる実用性に優れた箱詰め瓶体用天部側緩衝部材となる。
【実施例２】
【００３９】
本発明の具体的な実施例１について図５〜図８に基づいて説明する。
【００４０】
本実施例は、複数の瓶体２を上部開口部から取り出し自在にして上端部を上にして整列状態に収納する瓶体収納箱であって、収納箱１内に実施例１の箱詰め瓶体用天部側緩衝部材９が備えられており、この箱詰め瓶体用天部側緩衝部材９を収納箱１の上部開口部に嵌め込むようにして収納箱１内に収納された複数の瓶体２の上方から被せることで、各瓶体２の上端部に誘い込み部７により被嵌部６が被嵌して、各瓶体２を収納箱１内で整列状態に位置決めして、運搬中の前記瓶体２の揺れ及び移動が抑制されるように構成されているものである。
【００４１】
具体的には、本実施例は、収納箱１内に、この収納箱１の天部側に配される箱詰め瓶体用天部側緩衝部材９とともに、収納箱１の底部側に配される箱詰め瓶体用底部側緩衝部材10が備えられている。
【００４２】
本実施例は、収納箱１の構成及び箱詰め瓶体用天部側緩衝部材９の構成は、実施例１と同構成である。
【００４３】
また、箱詰め瓶体用底部側緩衝部材10は、図示するように、収納箱１の上部開口部と略同形に形成された合成樹脂製の基板部14に、収納箱１に収納される瓶体２の底部が載置される複数の瓶底受部15が一体成形されて成る構成とされている。
【００４４】
具体的には、本実施例の箱詰め瓶体用底部側緩衝部材10は、箱詰め瓶体用天部側緩衝部材９と同様、平面視横長方形状に形成されたシート状の基板部14に、１ダース分、即ち１２本の瓶体２を位置決めする１２個の瓶底受部15が設けられた構成とされている。
【００４５】
この瓶底受部15は、瓶体２の底部側周面部を部分的に包囲する周壁部16が設けられており、この周壁部16は、上部側に向かって外方に傾斜状態に設けられ、上方から挿入配設される瓶体２を底部に誘い込む誘い込み部として作用するように構成されている。
【００４６】
また、本実施例の瓶体収納箱に瓶体２を収納する際は、先ず、収納箱１の底部に箱詰め瓶体用底部側緩衝部材10を配し、この箱詰め瓶体用底部側緩衝部材10の各瓶底受部15に瓶体２を挿入配設する。これにより、瓶体２は、この箱詰め瓶体用底部側緩衝部材10の瓶底受部15に位置決められて、収納箱１内でほぼ整列状態に並置収納される。
【００４７】
次に、この整列状態の瓶体２に対して上方から箱詰め瓶体用天部側緩衝部材９を被せ込み、箱詰め瓶体用天部側緩衝部材９の各キャップ部４を瓶体２に上端部に被嵌させる。これにより、瓶体２の上端部も位置決めされ、瓶体２は、収納箱１内で移動不能な状態となる。
【００４８】
このように、本実施例は、箱詰め瓶体用天部側緩衝部材９及び箱詰め瓶体用底部側緩衝部材10で瓶体２の上端部及び底部を移動不能に位置決めした状態で瓶体２を収納箱１に収納するから、収納した複数の瓶体２同士が運搬中に収納箱１内で接触して破損する虞が可及的に減少する実用性に優れた瓶体収納箱となる。
【００４９】
なお、箱詰め瓶体用底部側緩衝部材10に替えて、図７，８に示すように、仕切り部材11を用いた構成としても良い。
【００５０】
尚、本発明は、実施例１，２に限られるものではなく、各構成要件の具体的構成は適宜設計し得るものである。
【符号の説明】
【００５１】
１  収納箱
１Ａ  外側フラップ部
１Ｂ  内側フラップ部
２  瓶体
３  基板部
４  キャップ部
５  リブ
６  被嵌部
７  誘い込み部
８  蓋部押潰れ防止支持部
８Ａ 蓋中央部押潰れ防止支持部
９  箱詰め瓶体用天部側緩衝部材
10  箱詰め瓶体用底部側緩衝部材
11  仕切り部材